(57)【要約】【課題】光透過材料からなる商品見本を展示するディスプレイ台を、中身飲料を抜いた空容器の展示に共用する際にも部品点数が増加を最小限に抑えることが可能な自動販売機の商品見本展示装置を提供する。【解決手段】複数の商品見本を展示してなるディスプレイ室内に配設され、光透過性材料からなる複数の商品見本８を嵌合保持する複数の開口部７４を有するディスプレイ台を備えた自動販売機の商品見本展示装置であって、前記ディスプレイ台の開口部７４に着脱自在に取付けられるとともに空容器を保持する商品見本展示用アタッチメント８０を備えたことにより、前記ディスプレイ台における開口部７４に商品見本展示用アタッチメント８０を取付け、当該商品見本展示用アタッチメント８０に空容器を装着することにより空容器からなる商品見本Ｓを展示する。【選択図】図３
2008242505.tif 000002
【特許請求の範囲】
【請求項１】
複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、
前記ディスプレイ台の開口部に着脱自在に取付けられるとともに実容器を保持する商品見本展示用アタッチメントを備えたことを特徴とする自動販売機の商品見本展示装置。
【請求項２】
商品見本展示用アタッチメントは筒状に形成され、その底部にディスプレイ台の開口部との係合部を有し、筒状内部に実容器を嵌合保持する装着部を有することを特徴とする請求項１に記載の自動販売機の商品見本展示装置。
【請求項３】
筒状の商品見本展示用アタッチメントにおける装着部は実容器の大きさに応じて底面から上方に向って外側に広がる階段状に複数の装着部を有することを特徴とする請求項１または請求項２に記載の自動販売機の商品見本展示装置。
【請求項４】
商品見本展示用アタッチメントは線状の部材により形成され、ディスプレイ台の開口部との係合部と、実容器を挟持する保持部とからなることを特徴とする請求項１に記載の自動販売機の商品見本展示装置。
【請求項５】
棒状の商品見本展示用アタッチメントは１本の線材からなり、線材の中間部に係合部を形成し、線材の両端部を保持部としたことを特徴とする請求項４に記載の自動販売機の商品見本展示装置。
【発明の詳細な説明】
【技術分野】
【０００１】
この発明は、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置に関する。
【背景技術】
【０００２】
缶，瓶，ペットボトルなどの容器に入れられた清涼飲料などの商品を販売する自動販売機は本体キャビネットの庫内に商品を冷蔵，温蔵状態に区分して保存し、外扉のディスプレイ室内に設置したディスプレイ台上に複数の商品見本を左右に並べて展示し、商品見本に応じて設けられた商品選択ボタンを押すことにより指定された商品を販売するように構成されている。前記ディスプレイ室の展示される商品見本には次のような種類のものがある。すなわち、光透過材料により缶，瓶，ペットボトルなどの容器形状に一致させた中空状の本体の底面に光導入部を設け、前記光導入部から本体の内部に光を導入して本体を内側から照明するようにした商品見本、缶，瓶，ペットボトルなどの容器から中身飲料などを抜いた空容器がある。前記商品見本は商品見本を展示するディスプレイ台に形成した開口部に嵌合保持される。前記ディスプレイ台の下方には蛍光灯などの照明光源が設けられ、照明光源からの光がディスプレイ台の開口部と商品見本の底部に形成した光導入部とを通して中空状の商品見本の内部に照射され、商品見本が恰も発光しているように展示される。一方、空容器はディスプレイ台に設けたアタッチメントにより保持され、ディスプレイ室に設けた照明光源からの光を空容器外表面に照射して展示される。
【０００３】
前記商品見本は光透過材料、例えばアクリル樹脂から形成されることからディスプレイ台の開口部に嵌合するように細工を施すことができる一方、空容器はそのような細工を施すことができない。このため、商品見本および空容器はそれぞれ専用のディスプレイ台を用いて展示している。このように商品見本および空容器にそれぞれ専用のディスプレイ台を使用することは不経済であることから商品見本用のディスプレイ台を空容器の展示に共用できるようにしたものが知られている（例えば、特許文献１参照）。
【特許文献１】特開平１０−７９０７８号公報
【発明の開示】
【発明が解決しようとする課題】
【０００４】
前記特許文献により公知の自動販売機の商品展示装置によれば、空容器を抱き込むように挟持する保持具を取付けるため、ディスプレイ台の開口部に嵌合保持される商品見本の背後位置に取付板を固着するように構成されている。すなわち、商品見本に隠れて見えない位置に空容器の保持具を取付ける取付板を設けて商品見本を展示する際には前記取付板が見えないようにして体裁を保ち、空容器を展示する際には前記取付板に保持具を装着するように構成されている。この特許文献に開示された装置においてはディスプレイ台を共用できる点で優れている。しかしながら、商品見本のみを展示する場合にも取付板が一体的に取付けられている点において改良の余地があるとともに空容器を展示するために取付板と保持具の２部品を必要とする。また、昨今では商品見本の内部に光を照射する方向が商品見本の下方からのものに加え、商品見本の後方からのものが知られている。従って、空容器展示のための取付板を一体的に設けたディスプレイ台にあっては商品見本の後方から商品見本の内部に光を照射する商品見本を展示して照明することができず、結局専用のディスプレイ台を用意せねばならないという問題を有する。
【０００５】
本発明は上記の点に鑑みなされたものであり、その目的は前記課題を解決し、光透過材料からなる商品見本のディスプレイ台を、空容器の展示に共用する際にも部品点数の増加を最小限に抑えることが可能な自動販売機の商品見本展示装置を提供することにある。
【課題を解決するための手段】
【０００６】
上記目的を達成するために請求項１に係る発明は、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、前記ディスプレイ台の開口部に着脱自在に取付けられるとともに空容器を保持する商品見本展示用アタッチメントを備えたことを特徴とする。
【０００７】
また、請求項２に係る発明は、請求項１の自動販売機において、商品見本展示用アタッチメントは筒状に形成され、その底部にディスプレイ台の開口部との係合部を有し、筒状内部に空容器を嵌合保持する装着部を有することを特徴とし、請求項３に係る発明は、請求項１または請求項２の自動販売機において、筒状の商品見本展示用アタッチメントにおける装着部は空容器の大きさに応じて底面から上方に向って外側に広がる階段状に複数の装着部を有することを特徴とする。
【０００８】
また、請求項４に係る発明は、請求項１の自動販売機において、商品見本展示用アタッチメントは線状の部材により形成され、ディスプレイ台の開口部との係合部と、空容器を挟持する保持部とからなることを特徴とし、請求項５に係る発明は、棒状の商品見本展示用アタッチメントが１本の線材からなり、線材の中間部に係合部を形成し、線材の両端部を保持部としたことを特徴とする。
【発明の効果】
【０００９】
本発明の請求項１に係る自動販売機の商品展示装置によれば、複数の商品見本を展示してなるディスプレイ室と、このディスプレイ室内に配設され、光透過性材料からなる複数の商品見本を嵌合保持する複数の開口部を有するディスプレイ台とを備えた自動販売機の商品見本展示装置において、前記ディスプレイ台の開口部に着脱自在に取付けられるとともに空容器を保持する商品見本展示用アタッチメントを備えたことにより、前記ディスプレイ台における開口部に商品見本展示用アタッチメントを取付けて当該商品見本展示用アタッチメントに空容器を装着することにより空容器からなる商品見本を展示することができ、前記ディスプレイ台から当該商品見本展示用アタッチメントを取り外せば光透過材料からなる商品見本を展示することができる。したがって、一つの商品見本展示用アタッチメントを追加するのみで光透過材料からなる商品見本の展示用としてのディスプレイ台を空容器からなる商品見本の展示用として共用することができる。また、光透過材料からなる商品見本を展示する際には商品見本展示用アタッチメントが取り外されることから光透過材料からなる商品見本の展示を損なうことがないという効果を有する。
【００１０】
また、本発明の請求項２に係る自動販売機の商品展示装置によれば、商品見本展示用アタッチメントは筒状に形成することによって、空容器を確実に保持することができ、請求項３に係る自動販売機の商品展示装置によれば、商品見本展示用アタッチメントにおける装着部が空容器の大きさに応じて底面から上方に向って階段状に複数の装着部を備えていることによって、一つの商品見本展示用アタッチメントで大きさの異なる複数の空容器からなる商品見本を展示することができる。
【００１１】
また、本発明の請求項４に係る自動販売機の商品展示装置によれば、商品見本展示用アタッチメントを線状の部材により形成することにより、商品見本展示用アタッチメントのコストを抑えることができ、さらに、本発明の請求項５に係る自動販売機の商品展示装置によれば、１本の線材から商品見本展示用アタッチメントを形成することによりその構成を簡単にすることができる。
【発明を実施するための最良の形態】
【００１２】
以下、本発明の実施の形態を図１〜図３に示す実施例に基づいて説明する。まず、本発明の実施の形態である商品展示装置を適用した自動販売機の全体構成を図１により説明する。図１は清涼飲料自動販売機として一般的な缶入り飲料，ペットボトル入り飲料などの商品を販売する自動販売機の構成を斜視図である。
【００１３】
図に示すように、この自動販売機は、前面が開放した断熱筐体として形成された本体キャビネット１と、本体キャビネット１の前面に開閉可能に支持された外扉２とからなる。本体キャビネット１における商品収納庫の前面は開閉可能な断熱内扉３によって閉塞されている。本体キャビネット１の庫内には、断熱仕切壁により左右方向に複数の商品収納室に区分され、各商品収納室は、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収容した商品を冷蔵・温蔵状態に保存する冷却／加熱ユニットが配設されている。
【００１４】
前記外扉２の前面の上部域は透明板４で覆われ、この透明板４と外扉２に開閉可能に軸支された中扉６との間の空間がディスプレイ室５として形成されている。前記中扉６の前面には、本体キャビネット１の庫内に収容した商品に対応した複数の商品見本８、ここでは透明材料からなる商品見本８を左右に一列に並べて載置したディスプレイ台７が上下方向に３段取付けられている。前記透明板４には、各ディスプレイ台７と対峙する位置に商品選択ボタンユニット９が設けられ、商品選択ボタンユニット９は、ディスプレイ台７に載置された各商品見本８に対応して左右に一列に並べて設けた商品選択ボタン（不図示）を有している。前記商品選択ボタンには売り切れランプおよび販売可能ランプが内蔵されている。さらに、前記外扉２の前面には硬貨投入部１０の投入口、紙幣投入部１１の投入口、釣銭返却部１２の返却口、商品取出口１３に加え、不図示の返却レバーおよびロック付ハンドル（ロック装置）などが設けられている。また、前記外扉２の背面には硬貨投入部１０の投入口に連通したコインメカニズム１４、このコインメカニズム１４に連通した金庫１５、紙幣投入部１１の投入口に連通した紙幣識別装置１６などが設けられている。なお、ディスプレイ室５の上部およびディスプレイ台７の下部には商品サンプル８などを明るく照らす照明光源としての蛍光灯（不図示）が配設されている。
【００１５】
かかる自動販売機はキー操作によりロック付ハンドル（ロック装置）を鎖錠して外扉２を閉じた状態で商用電源からの電力供給を受けてディスプレイ室５内の蛍光灯を点灯制御して商品サンプル８などを明るく照らし出すとともに冷却／加熱ユニットを運転制御して庫内の商品を冷却／加熱する。硬貨または紙幣が投入されるとコインメカニズム１４または紙幣識別装置１６で識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて商品収納ラックに搭載された商品払出機構はソレノイドの励磁・釈放動作により商品収納ラックに収納した商品を１個づつ搬出する。
【００１６】
前記外扉２に区画形成されたディスプレイ室５に配設されたディスプレイ台７を図２に示し、図２はディスプレイ台７を分解して示す分解斜視図である。
【００１７】
図２においてディスプレイ台７は、光透過材料からなる商品見本８（図１参照）を載置する載置台７０からなる。この載置台７０は上面部７１と、この上面部７１の両端から下方に延在された左右側壁７２，７２と、前面部７３および後面部（不図示）を有して底面部が開放する横断面略コ字形に形成されている。前記上面部７１には透明材料からなる商品見本８が嵌合保持される開口部７４が左右方向に複数、この例では１２個並設されている。また、前記載置台７０の前面部７３には各商品見本８に対応して複数、この例では１２個の透光穴７５が設けられ、そして、この前面部７３の下端には前方側に折り返して形成したガイド部７６が長手方向に延在して設けられている。一方、載置台７０の後面部（不図示）には図１に示した中扉６に形成した係止孔に挿入される係止片が設けられ、この係止片を前期中扉６の係止孔に挿入することにより載置台７０がディスプレイ室５に配設される。
【００１８】
前記載置台７０の前面部７３に形成したガイド部７６には冷温表示体７８と価格表示体７９が前後に重ねて取付けられる。冷温表示体７８は載置台７０の前面部７３の左右方向に沿うように横長の短冊状に形成され、自動販売機の商品収納室（図示せず）に収納した商品の冷蔵・温蔵状態を表す冷温パターン、例えば、商品の冷蔵状態を表す冷温パターンとして白抜きの文字（例えば「ＣＯＬＤ」）の背景に寒色の背景色（例えば青色）の印刷と、商品の温蔵状態をあらわす冷温パターンとして白抜きの文字（例えば「ＨＯＴ」）の背景に暖色の背景色（例えば赤色）の印刷が施されている。また、商品の価格情報を表示する価格表示体７９が設けられている。価格表示体７９は冷温表示体７８の幅に略一致する幅の短冊状に形成された光透過板からなり、その前面の上方域には商品の価格情報を表す価格パターン７９１（例えば「￥１２０」の文字）が印刷してあり、下方域には開口７９２が形成されており、この開口７９２から冷温表示体７８の冷温パターンが表示される。
【００１９】
前記横断面コ字形で底面部が開放した載置台７０の下方には蛍光灯７７が配設される。この蛍光灯７７は、中扉６に係止される左右一対の蛍光灯取付金具７７１に設けたソケット７７２に取付けられる。この蛍光灯７７の光が載置台７０の開口部７４を通して光透過材料からなる商品見本８の内部に導入され、商品見本８が内部から照明される。また、上段のディスプレイ台７の下方に配設された蛍光灯７７によって商品見本８は上方からも照明される。最上段のディスプレイ台７に載置された商品見本８はディスプレイ室５の上方に配置した蛍光灯（不図示）によって上方から照明される。
【００２０】
さて、空容器からなる商品見本を展示する商品見本展示用アタッチメントの実施の形態を図３に示す。図３は商品見本展示用アタッチメントを示し、（ａ）は商品見本展示用アタッチメントの正面図、（ｂ）は商品見本展示用アタッチメントを斜め上方から見た斜視図、（ｃ）は商品見本展示用アタッチメントを斜め下方から見た斜視図である。
【００２１】
図３において、８０で商品見本展示用アタッチメントを示し、この商品見本展示用アタッチメント８０は有底円筒状に形成されている。前記商品見本展示用アタッチメント８０における筒状の内部には、（ｂ）に示すように、古代ローマの円形劇場の観覧席のように底部から上方に向うにしたがって外側に広がる階段式の装着部８１，８２，８３が形成されている。前記装着部８１は販売する商品のうちの最小径の商品に対応する径に定められ、装着部８３は販売する商品のうちの最大径の商品に対応する径に定められ、装着部８２は最小径の商品と最大径の商品との中間の径を有する商品に対応する径に定められている。この図３では（ａ）に最大径の商品（空容器Ｓ）を取付けた状態を示している。
【００２２】
前記商品見本展示用アタッチメント８０の底面にはディスプレイ台７（図１，図２参照）の開口部７４に嵌合する取付部８４が突設されている。この取付部８４の外形は開口部７４の開口形状に合わせて形成されるとともに開口部７４の大きさより僅かに小さく形成され、また、前記取付部８４の高さ寸法はディスプレイ台７の板厚よりも大きい寸法とされている。そして、前記取付部８４の周縁には、ディスプレイ台７の開口部７４の周縁に設けた複数の凹部７４１に対応して複数の係合片８５が設けられている。この係合片８５は設取付部８４から外方に向って突出しており、商品見本展示用アタッチメント８０の底面との間にディスプレイ台７の板厚に相当する隙間が形成されている。
【００２３】
図３に示した商品見本展示用アタッチメント８０はディスプレイ台７の開口部７４に次のようにして装着される。すなわち、図３の（ｃ）に示すように、商品見本展示用アタッチメント８０の底面に形成した取付部８４をディスプレイ台７の開口部７４に対峙させ、その取付部８４の周縁に設けた係合片８５を開口部７４の凹部７４１に一致させる。この状態で商品見本展示用アタッチメント８０の底面がディスプレイ台７の上面部７１（図２参照）に当接するまで前記取付部８４を開口部７４に嵌め込む。次いで、商品見本展示用アタッチメント８０を回転させると、係合片８５がディスプレイ台７の上面部７１の背面に潜り込んで商品見本展示用アタッチメント８０の底面との間にディスプレイ台７を挟み込む。これにより商品見本展示用アタッチメント８０の取付部８４がディスプレイ台７の開口部７４に嵌合し、この嵌合状態が係合片８５によって保持される。このようにしてディスプレイ台７に装着された商品見本展示用アタッチメント８０には図３の（ａ）に示すように空容器Ｓを対応する装着部８１，８２，８３に差し込んで展示される。この図３に示す実施の形態では一つの商品見本展示用アタッチメント８０により３種類の空容器を展示することができる。
【００２４】
なお、商品見本展示用アタッチメント８０には、図３の（ａ）に点線で示すように切欠き８０１を設け、この切欠き８０１により空容器に表示された模様や文字を露出させることができる。この場合、商品見本展示の体裁を保つため、前記切欠き８０１を階段状に形成し、これにより小径の空容器を展示した際に空容器と切欠き８０１の間の隙間から商品見本展示用アタッチメント８０の内部が目視できないようにするのがよい。
【００２５】
次に、図４は異なる実施の形態の商品見本展示用アタッチメントを示す。この実施の形態の商品見本展示用アタッチメント８０Ａが図３に示した商品見本展示用アタッチメント８０と相違する点は、商品見本展示用アタッチメント８０の取付部８４と係合片８５に代えて、その底面に外側に延在するクリップとして機能する保持片８６を形成した点である。この保持片８６はその先端をディスプレイ台７の開口部７４の縁からディスプレイ台７の上面部７１（図２参照）の背面に潜り込ませることにより商品見本展示用アタッチメント８０Ａの底面との間にディスプレイ台７を挟持する。そして、保持片８６の基部に開口部７４の縁を当接させることによって商品見本展示用アタッチメント８０Ａが開口部７４に嵌合され、保持片８６の先端によって保持される。
【００２６】
次に、図５は異なる実施の形態の商品見本展示用アタッチメントを示す。この実施の形態の商品見本展示用アタッチメント８０Ｂが図３に示した商品見本展示用アタッチメント８０と相違する点は、商品見本展示用アタッチメント８０の取付部８４と係合片８５に代えて、その底面に左右一対の弾性を有する係合爪８７，８７が形成されている点である。この係合爪８７は、（ｂ）に示すように、ディスプレイ台７Ａの開口部７４Ａの左右両端に形成された取付孔７４２，７４２に差し込まれるものであり、係合爪８７，８７の基部の間の寸法が取付孔７４２，７４２の間の寸法に一致し、かつ、係合爪８７，８７の基部の厚みが取付孔７４２，７４２の孔の寸法よりも僅かに小さく形成されている。そして、前記係合爪８７，８７を取付孔７４２，７４２に差し込むことにより係合爪８７，８７がディスプレイ台７Ａに係止される。この実施の形態では開口部７４Ａのみが形成された既存のディスプレイ台７Ａには装着することができないが、新たに生産されるディスプレイ台７Ａに採用することができる。このディスプレイ台７Ａによれば、光透過材料からなる商品見本８を展示する場合に開口部７４Ａの両端に設けた取付孔７４２，７４２が隣接する商品見本８の間に蛍光灯７７（図２参照）の光を照射することができるので、展示した商品見本間に陰影が生じることを防止できる。また、前記取付孔７４２，７４２はディスプレイ台７上に溜まる塵埃を落下させる機能をも有するものである。
【００２７】
次に、図６は異なる実施の形態の商品見本展示用アタッチメントを示す。この実施の形態の商品見本展示用アタッチメント８０Ｃは１本の線材により形成され、前記線材の中央部分に形成されたディスプレイ台７の開口部７４に嵌め込まれる係合部８８と、前記線材の両端部分により形成された空容器Ｓを挟持する保持部８９とからなる。なお、線材としては弾性を有する材料からなるものが最適である。
【００２８】
ここで、ディスプレイ台７の開口部７４は顧客が販売する商品見本のみが展示されるように形成されており、この実施の形態に係るディスプレイ台７の開口部７４には左右両端から段差を持って内側に延在する取付片７４３，７４３が形成されている。光透過材料からなる商品見本には前記開口部７４の取付片７４３，７４３に引っ掛ける係合爪が形成されており、前記開口部７４の取付片７４３，７４３に対応する係合爪を有する商品見本のみを展示可能としている。一方、商品見本展示用アタッチメント８０Ｃの係合部８８は前記取付片７４３，７４３の下に挿入される引っ掛け部８８Ａと、この引っ掛け部８８Ａから前記取付片７４３，７４３の上面に回りこんで取付片７４３，７４３を引っ掛け部８８Ａとともに挟み込む挟持部８８Ｂとからなる。また、商品見本展示用アタッチメント８０Ｃの保持部８９は係合部８８から起立するように折り曲げられて係合部８８の上方に位置し、更に空容器の胴体部分に対応する位置で水平方向に折り曲げて形成され、その先端部が空容器の胴体部分の外形形状に一致した形状、この実施の形態では湾曲して形成されている。
【００２９】
図６に示した商品見本展示用アタッチメント８０Ｃのディスプレイ台７の開口部７４への取付けは係合部８８を外側に撓ませて引っ掛け部８８Ａが取付片７４３，７４３の下方に位置し、挟持部８８Ｂが取付片７４３，７４３の上方に位置するようにして取付片７４３，７４３に差し込む。これにより引っ掛け部８８Ａと挟持部８８Ｂとにより取付片７４３，７４３を挟持し、商品見本展示用アタッチメント８０Ｃの係合部８８がディスプレイ台７の開口部７４に嵌合保持される。前述したようにディスプレイ台７の開口部７４に嵌合保持された商品見本展示用アタッチメント８０Ｃには、その保持部８９を左右に広げた状態で空容器Ｓを挿入することにより、保持部８９が元の状態に復帰して空容器Ｓの胴体部分を保持する。このように商品見本展示用アタッチメント８０Ｃに空容器Ｓを保持することによって空容器Ｓがディスプレイ台７上に展示される。
【００３０】
なお、前述した実施の形態では商品見本の外形が円筒形状のものについて説明したが、商品見本の形状は円筒形状に限らないことから、商品見本展示用アタッチメントの形状も実施の形態の形状に限るものではなく、商品見本の形状に合わせて形成できるものである。
【００３１】
前述したとおり本発明によれば、複数の商品見本を展示してなるディスプレイ室５と、このディスプレイ室５内に配設され、光透過性材料からなる複数の商品見本８を嵌合保持する複数の開口部７４を有するディスプレイ台７とを備えた自動販売機の商品見本展示装置において、前記ディスプレイ台７の開口部７４に着脱自在に取付けられるとともに空容器を保持する商品見本展示用アタッチメント８０（８０Ａ，８０Ｂ，８０Ｃ）を備えたことにより、前記ディスプレイ台７における開口部７４に商品見本展示用アタッチメント８０（８０Ａ，８０Ｂ，８０Ｃ）を取付けて当該商品見本展示用アタッチメント８０（８０Ａ，８０Ｂ，８０Ｃ）に空容器を装着することにより空容器からなる商品見本を展示することができ、前記ディスプレイ台７から当該商品見本展示用アタッチメント８０（８０Ａ，８０Ｂ，８０Ｃ）を取り外せば光透過材料からなる商品見本８を展示することができる。
【図面の簡単な説明】
【００３２】
【図１】本発明の実施の形態に係る自動販売機の全体構成を示す斜視図である。
【図２】図１の自動販売機のディスプレイ台を示す分解斜視図である。
【図３】本発明の実施の形態に係る商品見本展示用アタッチメントを示し、（ａ）は商品見本展示用アタッチメントの正面図、（ｂ）は商品見本展示用アタッチメントを斜め上方から見た斜視図、（ｃ）は商品見本展示用アタッチメントを斜め下方から見た斜視図である。
【図４】本発明の異なる実施の形態に係る商品見本展示用アタッチメントを示す正面図である。
【図５】本発明の異なる実施の形態に係る商品見本展示用アタッチメントを示し、（ａ）はその正面図、（ｂ）はディスプレイ台の要部平面図である。
【図６】本発明の異なる実施の形態に係る商品見本展示用アタッチメントを示す要部分解斜視図である。
【符号の説明】
【００３３】
１    本体キャビネット
２    外扉
５    ディスプレイ室
７    ディスプレイ台
８    商品見本（光透過材料からなる）
７４    開口部
８０    商品見本展示用アタッチメント
８０Ａ    商品見本展示用アタッチメント
８０Ｂ    商品見本展示用アタッチメント
８０Ｃ    商品見本展示用アタッチメント
【図１】
2008242505.tif 000003
【図２】
2008242505.tif 000004
【図３】
2008242505.tif 000005
【図４】
2008242505.tif 000006
【図５】
2008242505.tif 000007
【図６】
2008242505.tif 000008